(57)【要約】【課題】本体（４）と周方向に間隔を置いて配設された複数個の破断可能橋絡部（２４）を介して本体（４）に接続されたタンパーエビデント裾部（６）とを含み、橋絡部（２４）が破断されて本体（４）が容器の口頸部（５０）から離脱されても、容器の口頸部（５０）に装着され続けるタンパーエビデント裾部（６）に非破断接続片（３６ａ、３６ｂ）を介して本体（４）が接続され続ける型の合成樹脂製容器蓋（２）において、口頸部（５０）から離脱された本体（４）に過剰な力が加えられ非破断接続片（３６ａ、３６ｂ）が破断されてしまっても、タンパーエビデント裾部（６）に残留している非破断接続片（３６ａ、３６ｂ）の残部に起因して消費者が不快感を覚え或いは唇を損傷してしまうことが可及的に回避されるように改良を加える。【解決手段】非破断接続片（３６ａ、３６ｂ）におけるタンパーエビデント裾部（６）に接続されている基端近傍に誘導強制破断領域（４４ａ、４４ｂ）を配設する。【選択図】図１
2019089564.tif 000002
【特許請求の範囲】
【請求項１】
口頸部の外周面には雄螺条及び該雄螺条の下方に位置する係止あご部が形成されている容器に適用される合成樹脂製容器蓋であって、
天面壁及び該天面壁の周縁から垂下する筒状スカート壁を有し、該スカート壁の内周面には該雄螺条に螺合される雌螺条が形成されている本体と、周方向に間隔をおいて配設された複数個の破断可能橋絡部を介して該本体の該スカート壁に接続され、内周面には該係止あご部に係止される係止手段が配設されている筒状タンパーエビデント裾部とを含み、
該本体の該スカート壁には下方に突出する突出片が配設されており、該突出片の周方向両側には、該本体の該スカート壁と該タンパーエビデント裾部とを接続する非破断接続片が配設されており、
上方から見て該突出片よりも時計方向側に位置する片側非破断接続片は、該タンパーエビデント裾部に接続された基端から該突出片に向かって延在し且つ該タンパーエビデント裾部に対して該本体が上方に移動されると正面から見て反時計方向に傾動される反時計方向傾動部を含み、
上方から見て該突出片よりも反時計方向側に位置する他側非破断接続片は、該タンパーエビデント裾部に接続された基端から該突出片に向かって延在し且つ該タンパーエビデント裾部に対して該本体が上方に移動されると正面から見て時計方向に傾動される時計方向傾動部を含む、
合成樹脂製容器蓋において、
該片側非破断接続片の該反時計方向傾動部の該基端近傍及び該他側非破断接続片の該時計方向傾動部の該基端近傍には誘導強制破断領域が配設されている、
ことを特徴とする合成樹脂製容器蓋。
【請求項２】
該誘導強制破断領域は該基端近傍において該反時計方向傾動部及び該時計方向傾動部に切欠を形成することによって配設されている、請求項１記載の合成樹脂製容器蓋。
【請求項３】
該切欠は該反時計方向傾動部の上縁及び該時計方向傾動部の上縁から下方に延びる、請求項２記載の合成樹脂製容器蓋。
【請求項４】
該反時計方向傾動部における該切欠の、上方から見て時計方向側の上端縁部は円滑に延びる凸弧状であり、該時計方向傾動部における該切欠の、上方から見て反時計方向側の上端縁部は円滑に延びる凸弧状である、請求項３記載の合成樹脂製容器蓋。
【請求項５】
該片側非破断接続片の該誘導強制破断領域の断面積及び該他側非破断接続片の該誘導強制破断領域の断面積は０．５乃至０．６ｍｍ２である、請求項１から４までの合成樹脂製容器蓋。
【請求項６】
該片側非破断接続片は、該スカート壁に接続された基端から該突出片に向かって該反時計方向傾動部の上方を延在し且つ該タンパーエビデント裾部に対して該本体が上方に移動されると時計方向に傾動される時計方向傾動部を含み、該他側非破断接続片は、該スカート壁に接続された基端から該突出片に向かって該時計方向傾動部の上方を延在し且つ該タンパーエビデント裾部に対して該本体が上方に移動されると反時計方向に傾動される反時計方向傾動部を含む、請求項１から５までのいずれかに記載の合成樹脂製容器蓋。
【発明の詳細な説明】
【技術分野】
【０００１】
本発明は、容器の口頸部を開封した後においても、特に強制的な操作を加えることがない限り、容器蓋の全体が容器から分離されることがない型のタンパーエビデント特性を備えた合成樹脂製容器蓋、更に詳しくは天面壁及びこの天面壁の周縁から垂下する筒状スカート壁を有する本体と周方向に間隔を置いて配設された複数個の破断可能橋絡部を介して本体に接続されたタンパーエビデント裾部とを含み、橋絡部が破断されて本体が容器の口頸部から離脱されても、容器の口頸部に装着され続けるタンパーエビデント裾部に非破断接続片を介して本体が接続され続ける型の合成樹脂製容器蓋に関する。
【背景技術】
【０００２】
口頸部の外周面には雄螺条及びこの雄螺条の下方に位置する係止あご部が形成されている容器に適用される、タンパーエビデント特性を備えた合成樹脂製容器蓋として、下記特許文献１及び２には、容器の口頸部を開封した後においても、特に強制的な操作を加えることがない限り、容器蓋の全体が容器から分離されることがない型の容器蓋が開示されている。かかる容器蓋は、天面壁及びこの天面壁の周縁から垂下する筒状スカート壁を有する本体と、周方向に間隔をおいて配設された複数個の破断可能橋絡部を介して本体のスカート壁に接続された筒状タンパーエビデント裾部とを含んでいる。スカート壁の内周面には容器の口頸部の雄螺条に螺合される雌螺条が形成されている。本体のスカート壁には下方に突出する突出片が配設されており、この突出片の周方向両側には、本体のスカート壁とタンパーエビデント裾部とを接続する非破断接続片が配設されている。上方から見て突出片よりも時計方向側に位置する片側非破断接続片は、タンパーエビデント裾部に接続された基端から突出片に向かって延在し且つタンパーエビデント裾部に対して本体が上方に移動されると反時計方向に傾動される反時計方向傾動部を含み、上方から見て突出片よりも反時計方向側に位置する他側非破断接続片は、タンパーエビデント裾部に接続された基端から突出片に向かって延在し且つ該タンパーエビデント裾部に対して本体が上方に移動されると時計方向に傾動される時計方向傾動部を含んでいる。
【先行技術文献】
【特許文献】
【０００３】
【特許文献１】特許第５３４１７２９号公報
【特許文献２】特許第５５２０７６８号公報
【発明の概要】
【発明が解決しようとする課題】
【０００４】
上述した型の容器蓋は、容器の口頸部を開封した後に本体を片手で持つことなく喫飲することを可能にし、そしてまた本体の落下及び紛失を防止するために、容器の口頸部を一旦開封した後においても、本体が非破断接続片を介してタンパーエビデント裾部に接続された状態を維持して、容器内容物の消費或いは本体による口頸部の仮閉鎖及び再開封を遂行することを意図したものである。しかしながら、本発明者等の経験によれば、通常の容器蓋においては口頸部から離脱された本体はタンパーエビデント裾部から完全に分離されることから、上述した型の容器蓋であるにも拘わらず、稀ではあるが消費者が勘違いして或いは意図的に口頸部から離脱された本体に過剰な力を加えて非破断接続片を破断し、タンパーエビデント裾部から本体を完全に分離してしまうことがある。そして、かような事態が発生すると、破断された非破断接続片の一部は本体と共にタンパーエビデント裾部から分離されるが、破断された非破断接続片の残部はタンパーエビデント裾部の上縁から延出した状態でタンパーエビデント裾部に残留する。かような状態で消費者が内容物の消費のために容器の口頸部に唇を当接すると、タンパーエビデント裾部に残留している非破断接続片の残部が消費者の唇に刺さり、消費者が不快感を覚え或いは唇を損傷してしまう虞がる。
【０００５】
本発明は、上記事実に鑑みてなされたものであり、その主たる技術的課題は、口頸部から離脱された本体に過剰な力が加えられ非破断接続片が破断されてしまっても、タンパーエビデント裾部に残留している非破断接続片の残部に起因して消費者が不快感を覚え或いは唇を損傷してしまうことが可及的に回避される、新規且つ改良された合成樹脂容器蓋を提供することである。
【課題を解決するための手段】
【０００６】
本発明者等は、鋭意検討及び実験の結果、非破断接続片におけるタンパーエビデント裾部に接続されている基端近傍に誘導強制破断領域を配設することによって、上記主たる技術的課題を解決することができることを見出した。
【０００７】
即ち、本発明によれば、上記主たる技術的課題を解決する合成樹脂製容器蓋として、
口頸部の外周面には雄螺条及び該雄螺条の下方に位置する係止あご部が形成されている容器に適用される合成樹脂製容器蓋であって、
天面壁及び該天面壁の周縁から垂下する筒状スカート壁を有し、該スカート壁の内周面には該雄螺条に螺合される雌螺条が形成されている本体と、周方向に間隔をおいて配設された複数個の破断可能橋絡部を介して該本体の該スカート壁に接続され、内周面には該係止あご部に係止される係止手段が配設されている筒状タンパーエビデント裾部とを含み、
該本体の該スカート壁には下方に突出する突出片が配設されており、該突出片の周方向両側には、該本体の該スカート壁と該タンパーエビデント裾部とを接続する非破断接続片が配設されており、
上方から見て該突出片よりも時計方向側に位置する片側非破断接続片は、該タンパーエビデント裾部に接続された基端から該突出片に向かって延在し且つ該タンパーエビデント裾部に対して該本体が上方に移動されると正面から見て反時計方向に傾動される反時計方向傾動部を含み、
上方から見て該突出片よりも反時計方向側に位置する他側非破断接続片は、該タンパーエビデント裾部に接続された基端から該突出片に向かって延在し且つ該タンパーエビデント裾部に対して該本体が上方に移動されると正面から見て時計方向に傾動される時計方向傾動部を含む、
合成樹脂製容器蓋において、
該片側非破断接続片の該反時計方向傾動部の該基端近傍及び該他側非破断接続片の該時計方向傾動部の該基端近傍には誘導強制破断領域が配設されている、
ことを特徴とする合成樹脂製容器蓋が提供される。
【０００８】
好ましくは、該誘導強制破断領域は該基端近傍において該反時計方向傾動部及び該時計方向傾動部に切欠を形成することによって配設されている。該切欠は該反時計方向傾動部の上縁及び該時計方向傾動部の上縁から下方に延びるのが好適である。該反時計方向傾動部における該切欠の、上方から見て時計方向側の上端縁部は円滑に延びる凸弧状であり、該時計方向傾動部における該切欠の、上方から見て反時計方向側の上端縁部は円滑に延びる凸弧状であるのが望ましい。該片側非破断接続片の該誘導強制破断領域の断面積及び該他側非破断接続片の該誘導強制破断領域の断面積は０．５乃至０．６ｍｍ２であるのが好ましい。該片側非破断接続片は、該スカート壁に接続された基端から該突出片に向かって該反時計方向傾動部の上方を延在し且つ該タンパーエビデント裾部に対して該本体が上方に移動されると時計方向に傾動される時計方向傾動部を含み、該他側非破断接続片は、該スカート壁に接続された基端から該突出片に向かって該時計方向傾動部の上方を延在し且つ該タンパーエビデント裾部に対して該本体が上方に移動されると反時計方向に傾動される反時計方向傾動部を含むのが好都合である。
【発明の効果】
【０００９】
本発明の合成樹脂容器蓋においては、口頸部から離脱された本体に過剰な力が加えられた場合、片側非破断接続片及び他側非破断接続片は、夫々、基端近傍に配設された誘導強制破断領域において強制的に破断される。従って、タンパーエビデント裾部に残留する片側非破断接続片及び他側非破断接続片の残部は充分に小さく、タンパーエビデント裾部に残留した片側非破断接続片及び他側非破断接続片の残部によって消費者が不快感を覚え或いは唇を損傷してしまうことが可及的に回避される。
【図面の簡単な説明】
【００１０】
【図１】本発明に従って構成された合成樹脂製容器蓋の好適実施形態を示す正面図。
【図２】図１に図示する容器蓋を容器の口頸部に装着して口頸部を密封した状態を、一部を断面で示す正面図。
【図３】図２に図示する状態から、口頸部を開封するために容器蓋を開方向に幾分回転せしめた状態を示す正面図。
【図４】図３に図示する状態から容器蓋を更に開回転方向に回転せしめて容器蓋の本体を容器の口頸部から離脱せしめ、そして更に本体を旋回せしめた状態を示す正面図。
【図５】図４に図示する状態において、本体に過剰な力を加えて片側非破断接続片及び他側非破断接続片を強制的に破断した後の、タンパーエビデント裾部を示す正面図。
【図６】従来の合成樹脂製容器の場合の、図５と同様な正面図。
【発明を実施するための形態】
【００１１】
以下、本発明に従って構成された合成樹脂製容器蓋の好適実施形態を図示している添付図面を参照して、更に詳細に説明する。
【００１２】
本発明に従って構成された合成樹脂製容器蓋の好適実施形態を図示している図１及び図２を参照して説明すると、ポリエチレン又はポリプロピレンの如き適宜の合成樹脂から射出成形等によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０とを有する。天面壁８の内面には２条のシール突条、即ち内側環状突条１２及び外側環状突条１４が形成されている。
【００１３】
図１及び図２を参照して説明を続けると、図示の容器蓋２においては、本体４の天面壁８の上面とスカート壁１０の外周面は断面図において円弧状の境界面を介して接続されている。そして、スカート壁１０の外周面の主部１６は略鉛直に垂下せしめられており、スカート壁１０の下端部１８は半径方向下方に向かって半径方向外方に傾斜して延び、次いで半径方向内方に向かって弧状に延びている。スカート壁１０の外周面における上記主部１８には、周方向に間隔をおいて軸線方向に延びる突条部とかかる突条部間に位置する非突条部とから構成されたナール２０が形成されている。スカート壁１０の内周面には雌螺条２２が形成されている。かかる雌螺条２２の螺合開始先端は、上方から見て後述する突出片の中心から４５度乃至１３５度の範囲に位置付けられているのが好都合である。
【００１４】
タンパーエビデント裾部６は全体として円筒形状であり、周方向に間隔をおいて配設された複数個の破断可能橋絡部２４を介して本体４のスカート壁１０に接続させている。タンパーエビデント裾部６の内周面には係止手段２６が配設されている。図示の実施形態における係止手段２６は、周方向に間隔をおいて配設された複数個の係止片（そのうちの１個を図２に図示ししている）から構成されており、係止片の各々はタンパーエビデント裾部６の内周面から半径方向内方に傾斜して上方に延出せしめられている。係止手段２６は、係止片に代えてタンパーエビデント裾部６の内周面から半径方向内方に突出する係止突条から構成することもできる。
【００１５】
図１において番号２８で示す領域において、本体４のスカート壁１０の下端縁は他の領域の下端縁よりも上方に変位せしめられており、また番号３０で示す領域においてタンパーエビデント裾部６の上端縁は他の領域の上端縁よりも下方に変位せしめられ、そして更に領域２８及び３０の中央部においてはタンパーエビデント裾部６の上端縁は更に下方に変位せしめられており、スカート壁１０とタンパーエビデント裾部６との間には開口３２が生成されている。開口３２の周方向中央部において、スカート壁１０には下方に突出する略矩形状の突出片３４が形成されている。
【００１６】
図１に明確に図示するとおり、上記開口３２内には、更に、突出片３４の両側に位置する非破断接続片３６ａ及び３６ｂが配設されている。図示の実施形態においては、図１において突出片３４の左側（上方から見て時計方向側）に位置する片側非破断接続片３６ａは、タンパーエビデント裾部６に接続された片端から図１において右方に向かって（従って、上方から見て反時計方向に上記突出片３４に向かって）実質上水平に延出する反時計方向傾動部３８ａ、この反時計方向傾動部３８ａの他端に接続された介在部４０ａ、及び介在部４０ａに接続された片端から図１において左方に向かって（上方から見て時計方向）に実質上水平に延びて他端はスカート壁１０に接続されている時計方向傾動部４２ａから構成されている。時計方向傾動部４２ａの延在長さは反時計方向傾動部３８ａの延在長さよりも大きい。図１において突出片３４の右側（上方から見て反時計方向側）に位置する他側非破断接続片３６ｂは、タンパーエビデント裾部６に接続された片端から図１において左方に（従って、上方から見て時計方向に上記突出片３４に向かって）実質上水平に延出する時計方向傾動部３８ｂ、この時計方向傾動部３８ｂの他端に接続された介在部４０ｂ、及び介在部４０ｂに接続された片端から図１において右方（上方から見て反時計方向）に実質上水平に延びて他端はスカート壁１０に接続されている反時計方向傾動部４２ｂから構成されている。反時計方向傾動部４２ｂの延在長さは時計方向傾動部３８ｂの延在長さよりも小さい。
【００１７】
本発明に従って構成された容器蓋２においては、上記片側非破断接続片３６ａの反時計方向傾動部３８ａの基端近傍（即ちタンパーエビデント裾部６に接続された片端近傍）と上記他側非破断接続片３６ｂの時計方向傾動部３８ｂの基端近傍（即ちタンパーエビデント裾部６に接続された片端近傍）に、誘導強制破断領域４４ａ及び４４ｂが配設されていることが重要である。図示の実施形態においては、誘導強制破断領域４４ａ及び４４ｂの各々は、反時計方向傾動部３８ａの基端近傍及び時計方向傾動部３８ｂの基端近傍に切欠４６ａ及び４６ｂを形成することによって配設されている。切欠４６ａは、反時計方向傾動部３８ａの上縁から下方に延びる形態であるのが好ましく、そしてまた図１において左側（上方から見て時計方向側）の上端縁部は上方に向かって左方（上方から見て時計方向）に円滑に延びる凸弧状であるのが好適である。同様に、切欠４６ｂは、時計方向傾動部３８ｂの上縁から下方に延びる形態であるのが好ましく、そしてまた図１において右側（上方から見て反時計方向側）の上端縁部は上方に向かって右方（上方から見て反時計方向）に円滑に延びる凸弧状であるのが好適である。図示の実施形態においては、切欠４６ａ及び４６ｂの各々は略半円形状であり、各々の両側上端縁部は共に上方及び外方に向かって円滑に延びる凸弧状である。所望ならば、切欠４６ａ及び４６ｂを形成することに代えて、反時計方向傾動部３８ａの基端近傍及び時計方向傾動部３８ｂの基端近傍の各々に局部的薄肉部を形成することによって、誘導強制破断領域４４ａ及び４４ｂを配設することもできる。誘導強制破断領域４４ａ及び４４ｂは、容器の口頸部に対する本体４の開閉（これについては後に詳述する）が５０回繰り返し行われても破断することがなく、しかしながら本体４に５０Ｎ程度の過剰な力が加えられた際には強制的に破断されることが望ましい。かような点から、誘導強制破断領域４４ａ及び４４ｂの断面積はそれらに隣接する領域の断面積の４０乃至６０％程度であるのが好適であり、特に呼び径２８ｍｍの容器蓋においては、誘導強制破断領域４４ａ及び４４ｂの断面積は０．５乃至０．６ｍｍ２程度の断面積を有するのが好適である。
【００１８】
図２を参照して説明を続けると、ポリエチレンテレフタレートの如き適宜の合成樹脂或いはガラスから形成することができる容器の口頸部５０は全体として円筒形状であり、その上面は開口されている。口頸部５０の外周面には、雄螺条５２とこの雄螺条５２の下方に位置する係止あご部５４が形成されている。
【００１９】
口頸部５０に容器蓋２を装着して口頸部５０を密封する際には、口頸部５０に容器蓋２を被嵌して閉方向（図２において上方から見て時計方向）に回転せしめ、口頸部５０の雄螺条５２に容器蓋２の雌螺条２２を螺合せしめる。雄螺条５２に対する雌螺条２２の螺合の進行に応じて容器蓋２は口頸部５０に対して漸次下降する。図２に図示する状態まで口頸部５０に対して容器蓋２が下降せしめられると、容器蓋２の本体４における天面壁８の内面に形成されている内側環状突条１４及び外側環状突条１６が夫々口頸部５０の内周面及び外周面に密接せしめられ、これによって口頸部５０が密封される。容器蓋２のタンパーエビデント裾部６の内周面に配設されている係止手段２６は口頸部５０の係止あご部５４を弾性的に乗り越えて、係止あご部５４の下方に位置する。
【００２０】
口頸部５０を開封する際には、容器蓋２を開方向（図２において上方から見て反時計方向）に回転せしめ、口頸部５０の雄螺条５２に対する容器蓋２の雌螺条２２の螺合を漸次解除する。螺合を漸次解除すると容器蓋２の本体４は開方向に回転せしめられると共に上昇せしめられるが、タンパーエビデント裾部６は係止手段２６が口頸部５０の係止あご部５４に係止して上昇が阻止され、これに起因して破断可能橋絡部２４に相当な応力が生成され、破断可能橋絡部２４が破断される。しかる後においては、容器蓋２の本体４は開方向への回転と共に上昇し、タンパーエビデント裾部６から上方に漸次離間せしめられる。図１及び図２と共に図３を参照することによって明確に理解される如く、タンパーエビデント裾部６から本体４が漸次上方に離間せしめられると、片側非破断接続片３６ａの反時計方向傾動部３８ａ及び他側非破断接続片３６ｂの反時計方向傾動部４２ｂは正面から見て反時計方向に旋回され、片側非破断接続片３６ａの時計方向傾動部４２ａ及び他側非破断接続片３６ｂの時計方向傾動部３８ｂは正面から見て時計方向に旋回され、これに応じて反時計方向傾動部３８ａ、反時計方向傾動部４２ｂ、時計方向傾動部４２ａ及び時計方向傾動部３８ｂの鉛直線に対する傾斜角度が漸次低減せしめられる。他側非破断接続片３６ｂの反時計方向傾動部４２ｂは、延在長さが微小である故に傾動角度も微小である。片側非破断接続片３６ａにおいては反時計方向傾動部３８ａの延在長さよりも時計方向傾動部４２ａの延在長さのほうが大きく、他側非破断接続片３６ｂにおいては時計方向傾動部３８ｂの延在長さが反時計方向傾動部４２ｂの延在長さよりも大きいことに起因して、容器蓋２の本体４には図３において左方（上方から見て時計方向）に変位せんとする力が作用するが、本体４の変位は口頸部５０によって阻止され、それ故に時計方向傾動部４２ａ及び時計方向傾動部３８ｂには引っ張り応力が生成され、時計方向傾動部４２ａ及び時計方向傾動部３８ｂは幾分弾性的に変形されると共に幾分塑性変形される。本体２の開方向への回転が進行し、口頸部５０の雄螺条５２に対する容器蓋２の雌螺条２２の螺合が完全に解除されると、本体４は口頸部５０から離脱される。しかしながら、本体４は片側非破断接続片３６ａ及び他側非破断接続片３６ｂを介して、口頸部５０に装着され続けているタンパーエビデント裾部６に接続され続けている故に、容器の口頸部５０から離間されることはない。本体４が口頸部５０から離脱され、口頸部５０による本体４の拘束が解除されると、時計方向傾動部４２ａ及び時計方向傾動部３８ｂの弾性変形は弾性的に復元されるが塑性変形はそのまま残留することに起因して、本体４は口頸部５０及びタンパーエビデント裾部６に対して図３において左方（上方から見て時計方向）に変位される。
【００２１】
容器蓋２の本体４が口頸部５０から離脱された後においては、片側非破断接続片３６ａ及び他側非破断接続片３６ｂとタンパーエビデント裾部１０との接続領域、従って反時計方向傾動部３８ａの片端及び時計方向傾動部３８ｂの片端を中心として本体４を口頸部５０から遠ざかる方向に、図４に図示する状態まで旋回せしめる。かくすると、本体４に形成されている突出片３４の下端部（先端部）外側面が口頸部の係止あご部５４の上面に当接し、本体４のスカート壁１０の下端がタンパーエビデント裾部６の外周面に当接又は近接し、これによって本体４は図４に図示する位置に解除自在に保持される。従って、消費者は本体４の存在によって阻害されることなく、容器内に存在する清涼飲料の如き内容物を飲食することができる。
【００２２】
内容物の飲食を途中で中断した場合には、図４に図示する位置に保持されている本体４を図４において反時計方向に旋回せしめて再び口頸部５０に被嵌し、そして容器蓋２を閉方向に回転せしめて口頸部５０の雄螺条５２に容器蓋２の雌螺条２２を螺合せしめ、かくして容器蓋２を再び図２に図示する状態に位置せしめ、口頸部５０を仮密封することができる。本体４のスカート壁１０の内周面に形成されている雌螺条２２の螺合開始先端が、上方から見て突出片３４の中心から４５度乃至１３５度の範囲の角度領域に位置付けられている場合、口頸部５０から一旦離脱された本体４は図３において左方に変位されている故に、雌螺条２２の螺合開始先端は口頸部５０に対して幾分半径方向外側に変位している。従って、雌螺条２２の螺合開始先端と雄螺条５２の螺合開始先端とが角度的に整合した状態であっても、両者の干渉によって口頸部５０に対する本体４の円滑な被嵌が阻害されることが充分確実に回避される。
【００２３】
上述したとおり、通常の容器蓋においては口頸部から離脱された本体はタンパーエビデント裾部から完全に分離されることから、稀ではあるが消費者が勘違いして或いは意図的に口頸部５０から離脱された本体４に過剰な力を加えて片側非破断接続片３６ａ及び他側非破断接続片３６ｂを破断し、タンパーエビデント裾部６から本体４を完全に分離してしまうことがある。本発明に従って構成された容器蓋２においては、片側非破断接続片３６ａの反時計方向傾動部３８ａの基端近傍に誘導強制破断領域４４ａが配設されていると共に他側非破断接続片３６ｂの基端近傍に誘導強制破断領域４４ｂが配設されている故に、片側非破断接続片３６ａは誘導強制破断領域４４ａで破断され、他側非破断接続片３６ｂも誘導強制破断領域４４ｂで破断される。従って、図５に明確に図示する如く、タンパーエビデント裾部６に残留する片側非破断接続片３６ａの残部及び他側非破断接続片３６ｂの残部は充分に小さい。加えて、図示の実施形態においては、誘導強制破断領域４４ａを構成する切欠４６ａは、反時計方向傾動部３８ａの上縁から下方に延びる形態であり、そしてまた図１において左側（上方から見て時計方向側）の上端縁部は上方に向かって左方（上方から見て時計方向）に円滑に延びる凸弧状である。同様に、誘導強制破断領域４４ｂを構成する切欠４６ｂは、時計方向傾動部３８ｂの上縁から下方に延びる形態であり、そしてまた図１において右側（上方から見て反時計方向側）の上端縁部は上方に向かって右方（上方から見て反時計方向）に円滑に延びる凸弧状である。かような次第であるので、タンパーエビデント裾部６に残留する片側非破断接続片３６ａの残部及び他側非破断接続片３６ｂの残部によって、消費者が不快感を覚え或いは唇を損傷してしまうことが可及的に回避される。更に詳述すると、切欠４６ａ及び４６ｂは上縁から下方に延びる形態である故に、本体４に過剰な力を加えた際には切欠の下端から下方に向かって破断が進行し、従って破断された端部は切欠４６ａ及び４６ｂの下方に位置し、破断された端部に消費者の唇が触れてしまうことが可及的に回避される。また、消費者の唇が触れる可能性がある切欠４６ａ及び４６ｂの上端部は円滑に延びる凸条であるので、消費者の唇が触れたとしても損傷される虞がない。
【００２４】
これに対して、片側非破断接続片３６ａ及び他側非破断接続片３６ｂに誘導強制破断領域４４ａ及び４４ｂが形成されていない場合、本発明者等の経験によれば、消費者が勘違いして或いは意図的に口頸部から離脱された本体４に過剰な力を加えて片側非破断接続片３６ａ及び他側非破断接続片３６ｂを破断する場合、片側非破断接続片３６ａは反時計方向傾動部３８ａと介在部４０ａとの境界領域或いは介在部４０ａと時計方向傾動部４２ａとの境界領域において破断される傾向があり、同様に他側非破断接続片３６ｂは時計方向傾動部３８ｂと介在部４０ｂとの境界領域或いは介在部４０ｂと反時計方向傾動部４２ｂとの境界領域において破断される傾向がある。従って、図６に例示するとおり、タンパーエビデント裾部６に残留する片側非破断接続片３６ａの残部及び他側非破断接続片３６ｂの残部は比較的大きく、そしてまた鋭い自由端を有することが少なくない。それ故に、タンパーエビデント裾部６に残留する片側非破断接続片３６ａの残部及び他側非破断接続片３６ｂの残部によって、消費者が不快感を覚え或いは唇を損傷してしまう虞がある。
【符号の説明】
【００２５】
２：容器蓋
４：本体
６：タンパーエビデント裾部
８：天面壁
１０：スカート壁
２２：雌螺条
２４：破断可能橋絡部
２６：係止手段
３４：突出片
３６ａ：片側非破断接続片
３６ｂ：他側非破断接続片
３８ａ：反時計方向傾動部
４０ａ：介在部
４２ａ：時計方向傾動部
３８ｂ：時計方向傾動部
４０ｂ：介在部
４２ｂ：反時計方向傾動部
４４ａ：誘導強制破断領域
４４ｂ：誘導強制破断領域
４６ａ：切欠
４６ｂ：切欠
５０：容器の口頸部
５２：雄螺条
５４：係止あご部
【図１】
2019089564.tif 000003
【図２】
2019089564.tif 000004
【図３】
2019089564.tif 000005
【図４】
2019089564.tif 000006
【図５】
2019089564.tif 000007
【図６】
2019089564.tif 000008